(57)【要約】【課題】複数の表示パネルを有しながらも全体的な厚さをスリム化した表示装置を提供する。【解決手段】画像を表示する主表示パネルと、前記主表示パネルが画像を表示する方向と反対方向に画像を表示する副表示パネルと、前記主表示パネルと前記副表示パネルとを支持する支持フレームとを有し、前記主表示パネルと前記副表示パネルは、そのパネル面に対して水平方向に相互離隔して配置される。【選択図】      図１
2007156479.tif 000002
【特許請求の範囲】
【請求項１】
画像を表示する主表示パネルと、
前記主表示パネルが画像を表示する方向と反対方向に画像を表示する副表示パネルと、
前記主表示パネルと前記副表示パネルとを支持する支持フレームとを有し、
前記主表示パネルと前記副表示パネルは、そのパネル面に対して水平方向に相互離隔して配置されることを特徴とする表示装置。
【請求項２】
前記主表示パネルと前記副表示パネルとは平行に配置されることを特徴とする請求項１に記載の表示装置。
【請求項３】
前記主表示パネルと前記副表示パネルは、そのパネル面に対して垂直方向には相互に重ならないように配置されることを特徴とする請求項１に記載の表示装置。
【請求項４】
前記支持フレームは、前記主表示パネルを支持する第１支持部と、
前記第１支持部の一側で前記主表示パネルのパネル面に対して水平な方向に延長形成されて前記副表示パネルを支持する第２支持部とを含むことを特徴とする請求項１に記載の表示装置。
【請求項５】
前記主表示パネルと前記副表示パネルに各々光を供給するバックライトアセンブリをさらに有することを特徴とする請求項１に記載の表示装置。
【請求項６】
前記バックライトアセンブリは、前記主表示パネルに光を供給する第１バックライト部と、前記副表示パネルに光を供給する第２バックライト部とを含むことを特徴とする請求項５に記載の表示装置。
【請求項７】
前記第１バックライト部は前記支持フレームの第１支持部に収納支持され、前記第２バックライト部は前記支持フレームの第２支持部に収納支持されることを特徴とする請求項６に記載の表示装置。
【請求項８】
前記副表示パネル及び前記第２バックライト部は、前記主表示パネル及び前記第１バックライト部と相互に反転して対向するように配置されることを特徴とする請求項６に記載の表示装置。
【請求項９】
前記主表示パネルの一側に連結される第１可撓性印刷回路基板と、前記副表示パネルの一側に連結される第２可撓性印刷回路基板とをさらに有することを特徴とする請求項１に記載の表示装置。
【請求項１０】
第１可撓性印刷回路基板と連結された前記主表示パネルの一側に実装される第１駆動集積回路チップと、第２可撓性印刷回路基板と連結された前記副表示パネルの一側に実装される第２駆動回路チップとをさらに有することを特徴とする請求項９に記載の表示装置。
【請求項１１】
前記第１可撓性印刷回路基板及び前記第２可撓性印刷回路基板それぞれには、複数の発光ダイオード（ｌｉｇｈｔ  ｅｍｉｔｔｉｎｇ  ｄｉｏｄｅ、ＬＥＤ）が実装されることを特徴とする請求項９に記載の表示装置。
【請求項１２】
前記主表示パネルの一側に連結される第１可撓性印刷回路基板と、前記主表示パネルの他側と前記副表示パネルの一側とを連結する第２可撓性印刷回路基板とをさらに有することを特徴とする請求項１に記載の表示装置。
【請求項１３】
前記第１可撓性印刷回路基板と連結された前記主表示パネルの一側に実装される第１駆動集積回路チップと、前記第２可撓性印刷回路基板上に実装される第２駆動集積回路チップとをさらに有することを特徴とする請求項１２に記載の表示装置。
【請求項１４】
前記第１可撓性印刷回路基板には複数の発光ダイオードが実装されることを特徴とする請求項１２に記載の表示装置。
【請求項１５】
前記主表示パネル及び前記副表示パネルは液晶表示パネルであることを特徴とする請求項１に記載の表示装置。
【発明の詳細な説明】
【技術分野】
【０００１】
本発明は表示装置に関し、より詳しくは、対向する両方向に各々画像を表示する複数の表示パネルを有しながらも、全体的な厚さをスリム（ｓｌｉｍ）化した表示装置に関する。
【背景技術】
【０００２】
近年、急速に発展している半導体技術を中心に小型及び軽量化されながら性能がさらに向上した液晶表示装置（ｌｉｑｕｉｄ  ｃｒｙｓｔａｌ  ｄｉｓｐｌａｙ、ＬＣＤ）のような表示装置の需要が爆発的に増えている。
液晶表示装置は、小型化、軽量化及び低電力消費化などの利点を有しているため、既存のブラウン管（ｃａｔｈｏｄｅ  ｒａｙ  ｔｕｂｅ、ＣＲＴ）の短所を克服できる代替手段として次第に注目されてきた。現在は、表示装置を必要とする携帯電話及びＰＤＡ（ｐｏｒｔａｂｌｅ  ｄｉｇｉｔａｌ  ａｓｓｉｓｔｏｒ）などのような小型製品だけでなく、中大型製品であるモニター及びＴＶなどにも装着されて使用されるなど、表示装置が必要なほとんど全ての情報処理機器に装着されて使用されている。
【０００３】
携帯電話は使用者の便宜のために折りたたみ式のものが多く製造されており、携帯電話の表示部の前後面に各々２つの表示パネルを付着したデュアル（ｄｕａｌ）表示装置が広く使用されている。
しかし、このように２つの表示パネルを使用する場合、携帯電話の全体的な厚さが増加して携帯が不便であるという問題点があった。したがって、さらに軽薄短小化された表示装置の構造が要求されている。
【０００４】
また、従来のデュアル型表示装置は、各々表示パネルに駆動信号を供給するためのそれぞれの可撓性印刷回路基板が使用されるので、全体的な構造が複雑であるという問題点があった。
また、従来のデュアル型表示装置は、表示パネルが各々一側に駆動集積回路チップを実装しているので、実際に画像を表示できる面積を大きく広められないという問題点があった。
【発明の開示】
【発明が解決しようとする課題】
【０００５】
そこで、本発明は上記従来のデュアル型表示装置における問題点に鑑みてなされたものであって、本発明の目的は、複数の表示パネルを有しながらも全体的な厚さをスリム化した表示装置を提供することにある。
また、本発明の他の目的は、広い有効表示面積を有する表示パネルを有し、全体的な構造を単純化した表示装置を提供することにある。
【課題を解決するための手段】
【０００６】
上記目的を達成するためになされた本発明による表示装置は、画像を表示する主表示パネルと、前記主表示パネルが画像を表示する方向と反対方向に画像を表示する副表示パネルと、前記主表示パネルと前記副表示パネルとを支持する支持フレームとを有し、前記主表示パネルと前記副表示パネルは、そのパネル面に対して水平方向に相互離隔して配置されることを特徴とする。
【０００７】
前記主表示パネルと前記副表示パネルとは平行に配置されることが好ましい。
前記主表示パネルと前記副表示パネルとは、そのパネル面に対して垂直方向には相互に重ならないように配置されることが好ましい。
前記支持フレームは、前記主表示パネルを支持する第１支持部と、前記第１支持部の一側で前記主表示パネルのパネル面に対して水平な方向に延長形成されて前記副表示パネルを支持する第２支持部とを含むことが好ましい。
前記主表示パネルと前記副表示パネルに各々光を供給するバックライトアセンブリをさらに有することが好ましい。
前記バックライトアセンブリは、前記主表示パネルに光を供給する第１バックライト部と前記副表示パネルに光を供給する第２バックライト部とを含むことが好ましい。
前記第１バックライト部は前記支持フレームの第１支持部に収納支持され、前記第２バックライト部は前記支持フレームの第２支持部に収納支持されることが好ましい。
前記副表示パネル及び前記第２バックライト部は、前記主表示パネル及び前記第１バックライト部と相互に反転して対向するように配置されることが好ましい。
前記主表示パネルの一側に連結される第１可撓性印刷回路基板と、前記副表示パネルの一側に連結される第２可撓性印刷回路基板とをさらに有することができる。
第１可撓性印刷回路基板と連結された前記主表示パネルの一側に実装される第１駆動集積回路チップと、第２可撓性印刷回路基板と連結された前記副表示パネルの一側に実装される第２駆動回路チップとをさらに有するができる。
前記第１可撓性印刷回路基板及び前記第２可撓性印刷回路基板それぞれには、複数の発光ダイオード（ｌｉｇｈｔ  ｅｍｉｔｔｉｎｇ  ｄｉｏｄｅ、ＬＥＤ）が実装できる。
前記主表示パネルの一側に連結される第１可撓性印刷回路基板と、前記主表示パネルの他側と前記副表示パネルの一側とを連結する第２可撓性印刷回路基板とをさらに有することができる。
前記第１可撓性印刷回路基板と連結された前記主表示パネルの一側に実装される第１駆動集積回路チップと、前記第２可撓性印刷回路基板上に実装される第２駆動集積回路チップとをさらに含むことができる。
前記第１可撓性印刷回路基板には、複数の発光ダイオードが実装できる。
前記主表示パネル及び前記副表示パネルは、液晶表示パネルであることが好ましい。
【発明の効果】
【０００８】
本発明に係る表示装置によれば、複数の表示パネルを有しながらも全体的な厚さをスリム化することができる。
つまり、主表示パネルと重ならないように配置され、パネル面に対して水平な方向に並んで配置されて全体的な厚さを最小化することができるという効果がある。
また、主表示パネル、副表示パネル、及びこれらを駆動するための可撓性印刷回路基板がワンセットの構造で一体に形成されるので、表示装置の全体的な構造を単純化することができるという効果がある。
【０００９】
さらに、表示装置は、広い有効表示面積を有する表示パネルを有することができる。つまり、副表示パネルを駆動するための駆動集積回路チップが副表示パネル上に実装されず、副表示パネルと主表示パネルを連結する可撓性印刷回路基板上に実装されるので、副表示パネルの画像表示面積を最大化することができるという効果がある。
したがって、主表示パネルと比べて相対的に小さい大きさを有する副表示パネルをさらに効果的に活用することができるという効果がある。
【発明を実施するための最良の形態】
【００１０】
次に、本発明に係る表示装置を実施するための最良の形態の具体例を図面を参照しながら説明する。
【００１１】
添付図面においては、実施形態として２つの表示パネルを使用する小型表示装置、つまり、両面表示折りたたみ式携帯電話（ｃｅｌｌｕａｒ  ｐｈｏｎｅ）に使用される表示装置が概略的に示されている。このような本発明による実施形態は単に本発明を例示するためのものであり、本発明がここに限られるわけではない。
また、説明に先立って、いろいろな実施形態において、同一の構成を有する構成要素については同一の符号を付けて代表的に第１の実施形態で説明し、その他の実施形態では第１の実施形態と異なる構成についてのみ説明する。
本発明を明確に説明するために、説明上不必要な部分は省略しており、明細書全体にわたって同一または類似する構成要素については同一の参照符号を付けた。
【００１２】
図１に示すように、本発明の第１の実施形態による表示装置１００は、画像を表示する主表示パネル２００と、主表示パネル２００が画像を表示する方向と反対方向に画像を表示する副表示パネル３００と、主表示パネル２００と副表示パネル３００を支持する支持フレーム７５０と、主表示パネル２００と副表示パネル３００に光を供給するバックライトアセンブリ７００とを含む。
【００１３】
そして、主表示パネル２００及び副表示パネル３００それぞれに駆動信号を供給する可撓性印刷回路基板（ｆｌｅｘｉｂｌｅ  ｐｒｉｎｔｅｄ  ｃｉｒｃｕｉｔ  ｂｏａｒｄ、ＦＰＣＢ）（４１０、４２０）をさらに含み、電源及びその他の信号を可撓性印刷回路基板（４１０、４２０）またはバックライトアセンブリ７００に伝達する可撓性印刷回路フィルム（ｆｌｅｘｉｂｌｅ  ｐｒｉｎｔｅｄ  ｃｉｒｃｕｉｔ  ｆｉｌｍ、ＦＰＣ）４５０をさらに含むことができる。その外に、支持フレーム４００と相互結合してバックライトアセンブリ７００及び可撓性印刷回路基板（４１０、４２０）を収納及び支持する第１支持部材６１０及び第２支持部材６２０をさらに含み、その他の必要な部分をさらに含むことができる。
【００１４】
主表示パネル２００は、主表示パネル２００の反対側の副表示パネル３００より大きい。表示装置１００は、特に、折りたたみ式携帯電話用に使用することができ、主表示パネル２００は携帯電話の表示部の内面に位置し、副表示パネル３００は携帯電話の表示部の外面に位置する。したがって、表示部を閉じた状態では画面の大きさが小さい副表示パネル３００を通じて時間など比較的に少量の情報と接することができ、相手と通話をする場合には表示部を開いて画面の大きさが大きい主表示パネル２００で比較的に多量の情報と接することができる。主表示パネル２００と副表示パネル３００はパネル面に対して垂直方向には相互に重ならないように配置される。また、主表示パネル２００と副表示パネル３００は互いに水平に配置される。つまり、副表示パネル３００が主表示パネル２００と重ならずにそばに並べて配置されることによって、表示装置１００の全体的な厚さを最小化することができる。
【００１５】
図１には主表示パネル２００と副表示パネル３００として透過型または半透過型液晶表示パネルを図示したが、これは単に本発明を例示するためのものであり、本発明がこれに限られるわけではない。したがって、反射型液晶表示パネルが用いるか、または他の受光型表示パネルを用いてもよい。また、有機発光表示パネル（ｏｒｇａｎｉｃ  ｌｉｇｈｔ  ｅｍｉｔｔｉｎｇ  ｄｉｓｐｌａｙ  ｐａｎｅｌ）を用いることもできる。
【００１６】
可撓性印刷回路基板（４１０、４２０）は、主表示パネル２００の一側に連結された第１可撓性印刷回路基板４１０と、副表示パネル３００の一側に連結され、第１可撓性印刷回路基板４１０とも連結された第２可撓性印刷回路基板４２０とを含む。図１では図示上の便宜のために可撓性印刷回路基板（４１０、４２０）を切って図示したが、実際には連結されている。また、第１可撓性印刷回路基板４１０と第２可撓性印刷回路基板４２０とは各々相互連結されるための連結部４１２、４２２を有する。しかし、本発明が図１に示した構造に必ず限られるわけではない。したがって、可撓性印刷回路基板（４１０、４２０）の数と連結構造は多様に変更できる。
【００１７】
可撓性印刷回路基板（４１０、４２０）は、各々主表示パネル２００と副表示パネル３００に画像を形成するために必要な信号を伝送する。また、第１可撓性印刷回路基板４１０と連結された可撓性印刷回路フィルム４５０の端部には携帯電話コネクタ４５１が実装されている。これによって、可撓性印刷回路基板（４１０、４２０）は携帯電話コネクタ４５１を通じて携帯電話の表示部の開閉程度によって信号の印加を受ける。
また、第１可撓性印刷回路基板４１０と第２可撓性印刷回路基板４２０は、各々発光ダイオード７１１、７２１を実装している。
【００１８】
そして、表示装置１００は、第１可撓性印刷回路基板４１０と連結された主表示パネル２００の一側に実装された第１駆動集積回路チップ２０１と、第２可撓性印刷回路基板４２０と連結された副表示パネル３００の一側に実装された第２駆動集積回路チップ３０１とをさらに含む。ここで、第１駆動集積回路チップ２０１及び第２駆動集積回路チップ３０１は各々保護膜２０５、３０５によって取り囲まれる。第２駆動集積回路チップ３０１及びこれを覆う保護膜３０５は図２に示す。
【００１９】
バックライトアセンブリ７００は、主表示パネル２００に光を供給する第１バックライト部７１０と副表示パネル３００に光を供給する第２バックライト部７２０とを含む。
第１バックライト部７１０及び第２バックライト部７２０それぞれは、光を発生する第１光源ユニット（発光ダイオード）７１１及び第２光源ユニット（発光ダイオード）７２１、第１及び第２光源ユニット（発光ダイオード）７１１、７２１から発生した光を主表示パネル２００及び副表示パネル３００にガイドする第１導光板７１４及び第２導光板７２４、第１及び第２導光板７１４、７２４の背面に配置された第１反射シート７１９及び第２反射シート７２９、そして第１及び第２導光板７１４、７２４と表示パネル（２００、３００）との間に各々配置されて輝度を向上させ、光をさらに均一に拡散する第１光学シート類７１３及び第２光学シート類７２３を含む。これらは支持フレーム７５０及び支持部材（６１０、６２０）によって支持受納される。
【００２０】
図１には第１及び第２光源ユニット（発光ダイオード）７１１、７２１として第１可撓性印刷回路基板４１０と第２可撓性印刷回路基板４２０に直接実装された発光ダイオードを示している。このように、第１及び第２光源ユニット（発光ダイオード）７１１、７２１が可撓性印刷回路基板（４１０、４２０）に直接実装されるので、表示装置１００の全体的な構成を単純化することができる。  しかし、これは単に本発明を例示するためのものであり、本発明がこれに限られるわけではない。したがって、必ず可撓性印刷回路基板（４１０、４２０）上に直接実装された光源ユニット（発光ダイオード）（７１１、７２１）を用いなければならないわけではなく、発光ダイオードをモジュール化した線光源または面光源を用いることもできる。また、発光ダイオードの数は図１に示したものに限定されず、必要に応じて発光ダイオードの数を多様に形成することができる。
【００２１】
支持フレーム７５０は、主表示パネル２００を支持する第１支持部７５１と、第１支持部７５１の一側で主表示パネル２００のパネル面に対して水平な方向に延長形成されて副表示パネル３００を支持する第２支持部７５２とを含む。このように、支持フレーム７５０によって主表示パネル２００と副表示パネル３００とは相互に重ならないように並べて配置される。支持フレーム７５０は、主表示パネル２００と副表示パネル３００が画像を表示する方向が互いに反対になるように支持する。また、支持フレーム７５０の第１支持部７５１にはバックライトアセンブリ７００の第１バックライト部７１０が収納支持され、支持フレーム７５０の第２支持部７５２にはバックライトアセンブリ７００の第２バックライト部７２０が収納支持される。
【００２２】
図２に示すように、本発明の第１の実施形態による表示装置１００は、主表示パネル２００及び第１バックライト部７１０と、副表示パネル３００及び第２バックライト部７２０とが相互に反転して対向するように配置される。
このように、副表示パネル３００が主表示パネル２００と重ならないように配置され、パネル面に対して水平な方向に並べて配置されるので、表示装置１００の全体的な厚さを減少させることができる。また、主表示パネル２００に光を供給する第１バックライト部７１０と、副表示パネル３００に光を供給する第２バックライト部７２０が、各々別個で駆動するので、不必要に主表示パネル２００または副表示パネル３００に光が供給されて明るくなることを防止することができる。つまり、主表示パネル２００のみを使用しようとする場合にも副表示パネル３００に明かりがつくか、またはその反対の場合になることを防止できる。
主表示パネル２００と副表示パネル３００それぞれは、第１表示板２１０、３１０及び第２表示板２３０、３３０と、第１表示板２１０、３１０及び第２表示板ら２３０、３３０の外面に付着された偏光子（図示せず）とを含む。
【００２３】
以下、図３及び図４を参照して、液晶表示パネルである主表示パネル２００の内部構造及びこれを駆動させるための構成について詳細に説明する。副表示パネル３００は主表示パネル２００の構造と同一であるので、その詳細な説明を省略する。
図３及び図４に示すように、第１表示板２１０は複数の信号線Ｇ１−Ｇｎ、Ｄ１−Ｄｍを含み、第１表示板２１０は信号線Ｇ１−Ｇｎ、Ｄ１−Ｄｍに連結され、ほぼ行列状に配列された複数の画素を含む。
【００２４】
信号線Ｇ１−Ｇｎ、Ｄ１−Ｄｍは、ゲート信号（“走査信号”とも言う）を伝達する複数のゲートラインＧ１−Ｇｎと、データ信号を伝達するデータラインＤ１−Ｄｍとを含む。ゲートラインＧ１−Ｇｎはほぼ行方向にのびて互いにほぼ平行をなし、データラインＤ１−Ｄｍはほぼ列方向にのびて互いにほぼ平行をなす。
各画素は、信号線Ｇ１−Ｇｎ、Ｄ１−Ｄｍに連結されたスイッチング素子Ｑと、これに連結された液晶キャパシタ（ｌｉｑｕｉｄ  ｃｒｙｓｔａｌ  ｃａｐａｃｉｔｏｒ）ＣＬＣ及びストレージキャパシタ（ｓｔｏｒａｇｅ  ｃａｐａｃｉｔｏｒ）ＣＳＴとを含む。ストレージキャパシタＣＳＴは必要に応じて省略できる。
【００２５】
スイッチング素子Ｑの一例としては薄膜トランジスタがあり、これは第１表示板２１０に形成される。薄膜トランジスタは三端子素子であって、その制御端子及び入力端子は各々ゲートラインＧ１−Ｇｎ及びデータラインＤ１−Ｄｍに連結されており、出力端子は液晶キャパシタＣＬＣ及びストレージキャパシタＣＳＴに連結されている。
信号制御部６０、信号制御部６００に連結されたゲート駆動部４０及びデータ駆動部５０、そしてデート駆動部５０に連結された階調電圧生成部８０は、第１駆動集積回路チップ２０１（図１に図示）に含まれる。
【００２６】
信号制御部６０は、ゲート駆動部４０及びデータ駆動部５０の動作を制御する。ゲート駆動部４０はゲートオン電圧Ｖｏｎとゲートオフ電圧Ｖｏｆｆとの組み合わせからなるゲート信号をゲートラインＧ１−Ｇｎに印加し、データ駆動部５０はデータ電圧をデータラインＤ１−Ｄｍに印加する。階調電圧生成部８０は画素の透過率と関わる二組の複数の階調電圧を生成し、データ電圧としてデータ駆動部５０に提供する。二組のうちの一組は共通電圧Ｖｃｏｍに対して正の値を有し、他の一組は負の値を有する。
【００２７】
図４に示すように、液晶キャパシタＣＬＣは、第１表示板２１０の画素電極２１８と第２表示板２３０の共通電極２３９とを二つの端子とし、二つの電極（２１８、２３９）の間の液晶層２２０は誘電体として機能する。画素電極２１８はスイッチング素子Ｑに連結され、共通電極２３９は第２表示板２３０の全面にかけて形成され、共通電圧Ｖｃｏｍの印加を受ける。図４とは異なって、共通電極２３９が第１表示板２１０に備えられる場合もあり、この時には二つの電極（２１８、２３９）のうちの少なくとも一つが線状または棒状で作られることができる。また、第２表示板２３０上には透過する光に色を付与したカラーフィルタ２３５が形成される。図４と異なって、カラーフィルタ２３５も第１表示板２１０上に形成することもできる。
【００２８】
液晶キャパシタＣＬＣの補助的な役割を果たすストレージキャパシタＣＳＴは、第１表示板２１０に具備された別個の信号線（図示せず）と画素電極２１８が絶縁体を間に置いて重なってなり、この別個の信号線には共通電圧Ｖｃｏｍなどの決められた電圧が印加される。しかし、ストレージキャパシタＣＳＴは、画素電極２１８が絶縁体を媒介としてすぐ上の前段ゲートラインＧ１−Ｇｎと重なってなることもできる。
【００２９】
このような構成によって、スイッチング素子である薄膜トランジスタがターンオンされれば、画素電極２１８と共通電極２３９との間に電界（ｅｌｅｃｔｒｉｃ  ｆｉｅｌｄ）が形成される。このような電界によって第１基板２１０と第２基板２３０との間に形成された液晶層２２０の液晶配列角が変化し、これによって変更される光透過度によって所望の画像を得るようになる。このような主表示パネル２００の構造及び駆動方法は副表示パネル３００にも適用される。
【００３０】
図５及び図６を参照して本発明の第２の実施形態による表示装置１０１について説明する。
図５に示すように、表示装置１０１は、主表示パネル２００の一側に連結された第１可撓性印刷回路基板４１０と、主表示パネル２００の他側と副表示パネル３００の一側を連結する第２可撓性印刷回路基板４３０とを含む。図５では図示上の便宜のために可撓性印刷回路基板（４１０、４３０）を切って図示したが、実際には連結されている。
【００３１】
このような構造によって、第１可撓性印刷回路基板４１０から供給される信号は主表示パネル２００に伝達され、再び第２可撓性印刷回路基板４３０を通じて副表示パネル３００に伝達される。
そして、第１可撓性印刷回路基板４１０と連結された主表示パネル２００の一側に第１駆動集積回路チップ２０１が実装され、第２可撓性印刷回路基板４３０に第２駆動集積回路チップ３０３が実装される。つまり、第２可撓性印刷回路基板４３０は副表示パネル３００の駆動のための第２駆動集積回路チップ３０３を実装しているチップオンフィルム（ｃｈｉｐ  ｏｎ  ｆｉｌｍ、ＣＯＦ）で形成される。このように、副表示パネル３００上には駆動集積回路チップが実装されないので、副表示パネル３００の有効な画像表示面積を最大化することができる。
【００３２】
また、ワンセット（ｏｎｅ  ｓｅｔ）の構造で主表示パネル２００、副表示パネル３００、及びこれらを駆動するための可撓性印刷回路基板（４１０、４３０）を一体に形成することができるので、表示装置１０１の全体的な構造を単純化することができる。
ここで、第１可撓性印刷回路基板４１０には複数の発光ダイオード７１１が実装され、主表示パネル２００に光を供給する第１バックライト部７１０の光源ユニットとして用いられる。一方、第２バックライト部７２０の光源ユニットとしては、別途の光源用回路基板４２５上に実装された発光ダイオード７２１が用いられる。この光源用回路基板４２５は第１可撓性印刷回路基板４１０または可撓性印刷回路フィルム４５０と連結され、電源の供給を受けて駆動する。
【００３３】
図６に示すように、本発明の第２の実施形態による表示装置１０１は、第１可撓性印刷回路基板４１０、主表示パネル２００、第２可撓性印刷回路基板４３０、及び副表示パネル３００が順次に連結されている。
このように、図６においては、副表示パネル３００が主表示パネル２００と重ならないように配置され、パネル面に対して水平な方向に並んで配置されながら、主表示パネル２００、副表示パネル３００、及びこれらを駆動するための可撓性印刷回路基板（４１０、４３０）がワンセットの構造で形成される。したがって、表示装置１０１の全体的な厚さを最小化しながら構造はさらに単純化することができる。
【００３４】
また、副表示パネル３００を駆動するための第２駆動集積回路チップ３０３が副表示パネル３００上に実装されず、第２可撓性印刷回路基板４３０に実装される。これによって、副表示パネル３００の有効な画像表示面積を最大化することができる。したがって、主表示パネル２００と比べて相対的に小さい大きさを有する副表示パネル３００をさらに効果的に活用することができる。
【００３５】
尚、本発明は、上述の実施形態に限られるものではない。本発明の技術的範囲から逸脱しない範囲内で多様に変更実施することが可能である。
【図面の簡単な説明】
【００３６】
【図１】本発明の第１の実施形態による表示装置の分解斜視図である。
【図２】図１の表示装置の断面図である。
【図３】図１の表示装置の表示パネル及びその駆動構成要素のブロック図である。
【図４】図３の表示パネルの一つの画素に対する等価回路図である。
【図５】本発明の第２の実施形態による表示装置の分解斜視図である。
【図６】図５の表示装置の断面図である。
【符号の説明】
【００３７】
４０        ゲート駆動部
５０        データ駆動部
６０        信号制御部
８０        階調電圧生成部
１００、１０１    表示装置
２００      主表示パネル
２０１      第１駆動集積回路チップ
２０５、３０５    保護膜
２１０、３１０    第１表示板
２１８      画素電極
２２０      液晶層
２３０、３３０    第２表示板
２３５      カラーフィルタ
２３９      共通電極
３００      副表示パネル
３０１、３０３    第２駆動集積回路チップ
２１０、２３０    表示板
４００      支持フレーム
４１０      第１可撓性印刷回路基板
４２０、４３０    第２可撓性印刷回路基板
４５０      可撓性印刷回路フィルム
６１０      第１支持部材
６２０      第２支持部材
７００      バックライトアセンブリ
７１０、７２０    （第１及び第２）バックライト部
７１１、７２１    発光ダイオード（第１及び第２光源ユニット）
７１３、７２３    （第１及び第２）光学シート類
７１４、７２４    （第１及び第２）導光板
７５０      支持フレーム
７５１、７５２    （第１及び第２）支持部
Ｇ１−Ｇｎ、Ｄ１−Ｄｍ    信号線
ＣＬＣ      液晶キャパシタ
ＣＳＴ      ストレージキャパシタ
【図１】
2007156479.tif 000003
【図２】
2007156479.tif 000004
【図３】
2007156479.tif 000005
【図４】
2007156479.tif 000006
【図５】
2007156479.tif 000007
【図６】
2007156479.tif 000008